(57)【特許請求の範囲】
【請求項１】
入力された複合映像信号を、所定の適切な振幅レベルに設定させるように調整制御するＡＧＣ回路において、前記複合映像信号の同期信号の振幅レベルに応じて、前記複合映像信号の振幅レベルを制御するキードＡＧＣ動作手段と、前記複合映像信号のピーク振幅レベルに応じて、前記複合映像信号の振幅レベルを制御するピークＡＧＣ動作手段とを備え、前記キードＡＧＣ動作手段と前記ピークＡＧＣ動作手段とを、互いに独立して動作せしめ、前記キードＡＧＣ動作手段により、ＡＧＣ動作に必要とする各種ゲート用信号を、前記複合映像信号に含まれる各同期信号の振幅レベルを揃えた状態に調整制御された複合映像信号から分離して生成せしめ、前記ピークＡＧＣ動作手段により、あらかじめ定められた各周期毎に、前記ピークＡＧＣ動作手段に入力される複合映像信号の最大ピーク振幅レベルとあらかじめ定められたピークＡＧＣ基準値との差分が、過渡応答閾値としてあらかじめ定められた閾値を超過している場合には、各前記周期毎に、前記差分に比例した調整量で、変化するＡＧＣゲインを生成せしめ、逆に、前記過渡応答閾値を超過していない場合には、各前記周期毎に、前記差分の大きさの如何によらず、あらかじめ定められた微小な一定調整量で、変化するＡＧＣゲインを生成せしめることを特徴とするＡＧＣ回路。
【請求項２】
入力された複合映像信号を、所定の適切な振幅レベルに設定させるように調整制御するＡＧＣ回路において、前記複合映像信号の同期信号の振幅レベルに応じて、前記複合映像信号の振幅レベルを制御するキードＡＧＣ動作手段と、前記複合映像信号のピーク振幅レベルに応じて、前記複合映像信号の振幅レベルを制御するピークＡＧＣ動作手段とを備え、前記キードＡＧＣ動作手段と前記ピークＡＧＣ動作手段とを、互いに独立して動作せしめ、前記キードＡＧＣ動作手段により、ＡＧＣ動作に必要とする各種ゲート用信号を、前記複合映像信号に含まれる各同期信号の振幅レベルを揃えた状態に調整制御された複合映像信号から分離して生成せしめ、前記ピークＡＧＣ動作手段により、あらかじめ定められた各周期毎に、前記ピークＡＧＣ動作手段に入力される複合映像信号の最大ピーク振幅レベルと前記ピークＡＧＣ基準値との差分が、過渡応答閾値を超過していない場合においては、前記複合映像信号の振幅レベルが前記ピークＡＧＣ基準値を、各前記周期毎に、超過している超過回数を計数することにより、該超過回数が、あらかじめ定められた基準回数を超過している際には、各前記周期毎に、前記ＡＧＣゲインをあらかじめ定められた微小な一定調整量で減衰せしめ、逆に、前記超過回数が、前記基準回数を超過しない限りにおいては、各前記周期毎に、前記ＡＧＣゲインをあらかじめ定められた微小な前記一定調整量で減衰量をゼロにせしめることを特徴とするＡＧＣ回路。
【請求項３】
入力された複合映像信号を、所定の適切な振幅レベルに設定させるように調整制御するＡＧＣ回路において、前記複合映像信号の同期信号の振幅レベルに応じて、前記複合映像信号の振幅レベルを制御するキードＡＧＣ動作手段と、前記複合映像信号のピーク振幅レベルに応じて、前記複合映像信号の振幅レベルを制御するピークＡＧＣ動作手段とを備え、前記キードＡＧＣ動作手段と前記ピークＡＧＣ動作手段とを、互いに独立して動作せしめ、前記キードＡＧＣ動作手段により、ＡＧＣ動作に必要とする各種ゲート用信号を、前記複合映像信号に含まれる各同期信号の振幅レベルを揃えた状態に調整制御された複合映像信号から分離して生成せしめ、前記ピークＡＧＣ動作手段により、あらかじめ定められた各周期毎に、前記ピークＡＧＣ動作手段に入力される複合映像信号の最大ピーク振幅レベルと前記ピークＡＧＣ基準値との差分が、過渡応答閾値を超過している場合においては、各前記周期毎に、前記複合映像信号の最大ピーク振幅レベルが前記ピークＡＧＣ基準値よりも大きい場合は、前記ＡＧＣゲインを、前記差分に比例した調整量で減衰せしめ、逆に、各前記周期毎に、前記複合映像信号の最大ピーク振幅レベルが前記ピークＡＧＣ基準値を超過しない限りにおいては、前記ＡＧＣゲインを、前記差分に比例した前記調整量で減衰量をゼロにせしめることを特徴とするＡＧＣ回路。
【請求項４】
請求項１乃至３のいずれかに記載のＡＧＣ回路において、前記ピークＡＧＣ動作手段は、各前記周期毎に、前記ピークＡＧＣ動作手段に入力される複合映像信号のピーク振幅レベルと前記ピークＡＧＣ基準値とが一致している場合、入力された該ピーク振幅レベルをそのまま維持するＡＧＣゲインを生成せしめることを特徴とするＡＧＣ回路。
【請求項５】
請求項１乃至４のいずれかに記載のＡＧＣ回路において、前記あらかじめ定められた各周期が、一画面時間を示すフィールド時間単位の周期であることを特徴とするＡＧＣ回路。
【請求項６】
請求項１乃至５のいずれかに記載のＡＧＣ回路を備えていることを特徴とする録画装置。
【発明の詳細な説明】
【０００１】
【発明の属する技術分野】
本発明は、ＡＧＣ回路及び該ＡＧＣ回路を搭載した録画装置に関する。特に、ＶＴＲ（Ｖｉｄｅｏ  Ｔａｐｅ  Ｒｅｃｏｒｄｅｒ）装置やＤＶＤ（Ｄｉｇｉｔａｌ  Ｖｅｒｓａｔｉｌｅ  Ｄｉｓｋ）装置等の録画装置における信号処理の一部に本発明に係るＡＧＣ回路が適用される。
【０００２】
【従来の技術】
例えば、ＶＴＲ（Ｖｉｄｅｏ  Ｔａｐｅ  Ｒｅｃｏｒｄｅｒ）装置においては、ビデオカメラやテレビチューナから供給されてくる複合映像信号をＦＭ変調させて記録させる場合に、該複合映像信号に含まれている輝度信号の振幅を一定のレベルに揃えることが必要である。
また、ＤＶＤ（Ｄｉｇｉｔａｌ  Ｖｅｒｓａｔｉｌｅ  Ｄｉｓｋ）装置においては、入力されてくる輝度信号をＭＰＥＧ２の信号形式にデータ変換する際には、前述のＶＴＲ装置の場合と同様に、輝度信号の振幅を一定のレベルに揃えることが必要である。
かかる輝度信号の振幅値を一定のレベルに調整制御する目的から、ＡＧＣ（Ａｕｔｏｍａｔｉｃ  Ｇａｉｎ  Ｃｏｎｔｒｏｌ）回路が採用されている。
【０００３】
該ＡＧＣ回路としては、アナログ処理の時代から、今日のデジタル処理の時代に至るまでに、種々の形式の回路が採用されてきている。かかるＡＧＣ回路のうち、一般に良く知られている代表的なＡＧＣ回路として、「National  Technical  Report」Vol.２５，No.１（１９７９年２月発行）のｐ.１０２〜ｐ.１０５に記載されているＡＧＣ回路と、特開昭５８−１２７４８０号公報「ＡＧＣ装置」，特開平１１−２８９５０５号公報「映像信号処理回路」のそれぞれにて開示されているＡＧＣ回路とについて、以下に図を参照しながら説明する。
【０００４】
まず、「National  Technical  Report」Vol.２５，No.１（１９７９年２月発行）に記載されている従来の代表的なＡＧＣ回路の構成例について、図７に示す回路ブロックを参照しながら、説明する。なお、図７に示す該ＡＧＣ回路は、以下に示すように、キードＡＧＣ（ｋｅｙｅｄ  ＡＧＣ）動作とピークＡＧＣ（ｐｅａｋ  ＡＧＣ）動作との併用型の回路構成となっている。
【０００５】
図７に示す回路ブロックにおいて、７１は、入力された複合映像信号に含まれている同期信号の振幅レベル即ち先端レベルを所定のレベルに揃えるための同期クランプ回路であり、７２は、前記複合映像信号から同期信号を分離するための同期分離回路である。
【０００６】
また、７３は、同期分離回路７２にて分離された同期信号を所定の時間遅延させるための同期遅延器であり、７４は、同期遅延器７３により遅延させた同期信号を整形して一定レベルの参照用パルスとして、複合映像信号に混合させるための混合器である。
【０００７】
また、７５は、ＡＧＣの動作閾値としての基準値を設定するための基準値設定器であり、７６は、基準値設定器７５で設定された基準値と混合器７４からの複合映像信号のピーク振幅レベルを比較し、両者の差分を出力するピークレベル比較器であり、７７は、ピークレベル比較器７６からの差分の大きさに応じて変化させたＶＣＡ（Ｖｏｌｔａｇｅ−Ｃｏｎｔｒｏｌｌｅｄ  Ａｍｐｌｉｆｉｅｒ）制御値を生成し、複合映像信号の増幅度を制御させるためのＶＣＡ制御値生成器であり、７８は、ＶＣＡ制御値生成器７７から出力されたＶＣＡ制御値に応じて複合映像信号の増幅度を可変に増幅又は減衰せしめるためのＡＧＣ用ＶＣＡ（Ｖｏｌｔａｇｅ−Ｃｏｎｔｒｏｌｌｅｄ  Ａｍｐｌｉｆｉｅｒ）である。
【０００８】
即ち、図７に示すＡＧＣ回路構成においては、同期遅延器７３にて所定の時間遅延させた同期信号を、複合映像信号のペデスタルレベルから所定の振幅レベル、例えば、Ｖｐ１の振幅レベルにある参照用パルスとして整形せしめ、ＡＧＣ用ＶＣＡ７８より出力された複合映像信号に対して、混合器７４にて混合させることにより、合成信号を生成せしめ、該合成信号のピーク振幅レベルが、基準値設定器７５で設定されている基準値（即ち、ＡＧＣの動作閾値）に一致するように、複合映像信号の振幅レベルが制御されることとなる。
【０００９】
かかるＡＧＣ回路の動作について、更に、図８を用いて掘り下げて説明する。
ここに、図８は、図７に示す混合器７４から出力される合成信号波形の一例を示すものである。また、符号Ｖｒｅｆは、基準値設定器７５で設定されている基準値（即ち、ＡＧＣの動作閾値）のレベルを示し、符号Ｖｐ１は、混合器７４において混合された参照用パルスのピーク振幅レベルを示し、符号Ｖｐ２は、ＡＧＣ用ＶＣＡ７８より出力されて、混合器７４において前記参照用パルスと混合される複合映像信号に含まれている映像信号のピーク振幅レベルを示している。
【００１０】
まず、図８（Ａ）に示すごとく、混合器７４から出力された複合映像信号に含まれている参照パルスのピーク振幅レベル（即ち、先端レベル）Ｖｐ１が、基準値Ｖｒｅｆにまで達していない場合、該参照パルスのピーク振幅レベルＶｐ１が、基準値Ｖｒｅｆのレベルに一致するように、ＶＣＡ制御値生成器７７によりＡＧＣ用ＶＣＡ７８の利得制御がなされ、複合映像信号中の同期信号と映像信号とが共にレベル増幅されるように動作せしめられる。
【００１１】
また、図８（Ｂ）に示すごとく、混合器７４から出力された複合映像信号に含まれている参照パルスのピーク振幅レベル（即ち、先端レベル）Ｖｐ１が、基準値Ｖｒｅｆを超過している場合、該参照パルスのピーク振幅レベルＶｐ１が、基準値Ｖｒｅｆのレベルに一致するように、ＶＣＡ制御値生成器７７によりＡＧＣ用ＶＣＡ７８の利得制御がなされ、複合映像信号中の同期信号と映像信号とが共にレベル圧縮されるように動作せしめられる。
【００１２】
即ち、図８（Ａ）及び図８（Ｂ）の場合においては、キードＡＧＣ動作（Ｋｅｙｅｄ  ＡＧＣ動作）が実行され、複合映像信号のうち、参照パルスのピーク振幅レベル（即ち、先端レベル）Ｖｐ１は、基準値Ｖｒｅｆのレベルと一致するが、一方、映像信号のピーク振幅レベルＶｐ２は、図８（Ａ）においては、基準値Ｖｒｅｆを超えたレベルまで、増幅されてしまい、逆に、図８（Ｂ）においては、基準値Ｖｒｅｆより益々隔たった低いレベルにまで圧縮されてしまう。
【００１３】
続いて、図８（Ｃ）に示すごとく、混合器７４から出力された複合映像信号に含まれている参照パルスのピーク振幅レベル（即ち、先端レベル）Ｖｐ１は、基準値Ｖｒｅｆと一致しているが、映像信号のピーク振幅レベルＶｐ２が、基準値Ｖｒｅｆを超過している場合、映像信号のピーク振幅レベルＶｐ２が、基準値Ｖｒｅｆのレベルに一致するように、ＶＣＡ制御値生成器７７によりＡＧＣ用ＶＣＡ７８の利得制御がなされ、複合映像信号中の同期信号と映像信号とが共にレベル圧縮されるように動作せしめられ、図８（Ｄ）に示すごとき複合映像信号となる。
【００１４】
即ち、ピークＡＧＣ動作（Ｐｅａｋ  ＡＧＣ動作）が実行され、複合映像信号のうち、映像信号のピーク振幅レベルＶｐ２は、基準値Ｖｒｅｆのレベルと一致するが、参照パルスのピーク振幅レベル（即ち、先端レベル）Ｖｐ１は、基準値Ｖｒｅｆよりも低いレベルにまで圧縮される。
【００１５】
次に、ＡＧＣ回路構成に関する別の従来技術として、特開昭５８−１２７４８０号公報「ＡＧＣ装置」にて開示されている技術について、図９に示す回路ブロックを参照しながら、説明する。該公報にて開示されているＡＧＣ回路は、テレビジョン装置やＶＴＲ装置のチューナに装備されることを前提として発明がなされたものである。
【００１６】
図９において、９１は、放送電波信号を受信するためのチューナであり、９２は、選局された帯域のみを透過させるためのバンドパスフィルタＢＰＦであり、９３は、搬送波増幅用のアンプ（増幅器）である。
【００１７】
また、９４は、不要なスペクトルを除去するための表面波フィルタＳＷＦ（Ｓｕｒｆａｃｅ  Ｗａｖｅ  Ｆｉｌｔｅｒ）であり、９５は、映像中間周波数を増幅するためのＶＩＦ（Ｖｉｄｅｏ  Ｉｎｔｅｒｍｅｄｉａｔｅ  Ｆｒｅｑｕｅｎｃｙ  Ａｍｐｌｉｆｉｅｒ：中間周波数増幅器）である。
【００１８】
また、９６は、複合映像信号の帯域内から同期信号成分を抽出するためのバンドパスフィルタＢＰＦであり、９７は、ＢＰＦ９６により抽出された同期信号成分を増幅するためのＶＩＦであり、９８は、ＶＩＦ９７により増幅された同期信号成分から同期信号を分離するための同期分離回路ＳＹＮＣＳＥＰであり、９９は、ＳＹＮＣＳＥＰ９８により分離された同期信号から、複合映像信号の同期信号のバックポーチ（即ち、同期信号パルスの後縁から帰線消去信号の後縁までの部分）に挿入するパルスを生成するための波形整形回路である。
【００１９】
かかる回路構成において、キードＡＧＣ（ｋｅｙｅｄ  ＡＧＣ）機能が内蔵されている回路ブロックがＶＩＦ９５であり、一方、ピークＡＧＣ（ｐｅａｋ  ＡＧＣ）機能が内蔵されている回路ブロックがＶＩＦ９７である。したがって、かかる構成においては、映像信号に直接的に作用を及ぼすＡＧＣは、キードＡＧＣのみとなっている。
【００２０】
次いで、ＡＧＣ回路構成に関する更なる別の従来技術として、特開平１１−２８９５０５号公報「映像信号処理回路」にて開示されている技術について、図１０に示す回路ブロックを参照しながら、説明する。該公報にて開示されているＡＧＣ回路は、ＡＧＣ回路の応答速度を改善せしめ、かつ、ＡＧＣエラー生成回路の構成をより簡略化することを意図して発明がなされたものである。
【００２１】
図１０において、１０１は、入力されたアナログビデオ信号を増幅するためのゲインコントロールアンプであり、１０２は、周波数帯域制限用のプリフィルタであり、１０３は、複合映像信号のシンクレベルを揃えるためのクランプ回路である。
【００２２】
また、１０４は、アナログビデオ信号をデジタルデータ信号に変換するためのＡ／Ｄコンバータであり、１０５は、複合映像信号に含まれている同期信号成分を抽出するための低域フィルタＬＰＦである。
【００２３】
また、１０６は、ピークＡＧＣ動作のためのピーク振幅レベルを得るためのピークＡＧＣレベル検出回路であり、一方、１０７は、シンクＡＧＣ動作（あるいは、キードＡＧＣ動作）のためのシンクレベルを得るためのシンクＡＧＣレベル検出回路である。
【００２４】
また、１０８は、ピークＡＧＣ動作とシンクＡＧＣ動作（あるいは、キードＡＧＣ動作）とを切り替えるための信号選択回路である。
更に、１０９は、ピークＡＧＣレベル検出回路１０６あるいはシンクＡＧＣレベル検出回路１０７から信号選択回路１０８を介して出力されたＡＧＣレベルを対数化するための対数変換回路である。
【００２５】
また、１１０は、ＡＧＣの収束値（目標値）を設定するためのレベル設定器であり、１１１は、対数変換回路１０９にて対数変換されたＡＧＣレベルとレベル設定器１１０で設定された収束値（目標値）との差分を得るための減算器であり、１１２は、減算器１１１からの差分に、所定の係数を掛け合わせた補正量を得るための係数器である。
【００２６】
更に、１１３，１１４，１１５は、それぞれ加算器，リミッタ，遅延回路であり、係数器１１２からの補正量を積分するための積分回路ブロックを構成している。
【００２７】
更に、１１６は、ＡＧＣループゲインを設定するためのゲインデコーダであり、１１７は、ゲインコントロールアンプ１０１で発生したレベル変動分を補償するための乗算器である。
【００２８】
かかる一連の回路ブロックにより構成された映像信号処理回路において、ＡＧＣ回路の応答速度を高速化するための処理は、ピークＡＧＣレベル検出回路１０６において、入力映像信号の変化レベルが大きいことを検出した場合に、ピークＡＧＣの動作時間単位をフィールドあるいはフレーム時間単位から水平ライン時間単位に切り替えることによって実現している。
また、ＡＧＣの制御値生成に関する回路規模の低減化（即ち、ＡＧＣエラー生成回路構成の簡略化）については、対数変換回路１０９によってＡＧＣ制御値を対数化して低ビットレート化することにより、実現している。
【００２９】
【発明が解決しようとする課題】
ところで、前述した従来のＡＧＣ回路構成においては、以下のごとき問題を有している。
【００３０】
即ち、図７に示すキードＡＧＣ（ｋｅｙｅｄ  ＡＧＣ）動作とピークＡＧＣ（ｐｅａｋ  ＡＧＣ）動作との併用型ＡＧＣ回路においては、次のごとき問題を有している。
まず、第１の問題として、ＡＧＣ動作が不安定となり、複合映像信号にリップルが発生する場合があることが挙げられる。
【００３１】
即ち、図７に示すＡＧＣ用ＶＣＡ７８より出力された複合映像信号が、たとえば、図８（Ｄ）に示すごとき状態にある場合、図７の混合器７４に入力された複合映像信号のうち、映像信号のピーク振幅レベルＶｐ２は、基準値Ｖｒｅｆのレベルと一致しているが、参照パルスのピーク振幅レベルＶｐ１が、基準値Ｖｒｅｆにまで達していないため、ＶＣＡ制御値生成器７７によりＡＧＣ用ＶＣＡ７８の利得制御がなされ、複合映像信号中の同期信号と映像信号とが共にレベル増幅されるように、ＡＧＣ用ＶＣＡ７８の利得を増大させんとする。
【００３２】
而して、ＡＧＣ用ＶＣＡ７８の利得が増大すると、映像信号のピーク振幅レベルＶｐ２が、基準値Ｖｒｅｆのレベルを超過してしまうため、今度は、逆に、ＡＧＣ用ＶＣＡ７８の利得を減少せしめんとする。
【００３３】
かくのごとく、参照パルスのピーク振幅レベルＶｐ１を基準値Ｖｒｅｆのレベルに一致せしめんとするキードＡＧＣ(ｋｅｙｅｄ  ＡＧＣ)動作と、映像信号のピーク振幅レベルＶｐ２を基準値Ｖｒｅｆのレベルに一致せしめんとするピークＡＧＣ（ｐｅａｋ  ＡＧＣ）動作とが交互に切り替わる状態が生起して、ＡＧＣ動作が不安定となり、複合映像信号レベルに関し、時間によるレベル変動（即ち、リップル）が発生する要因となる。
【００３４】
また、第２の問題としては、一画面内に輝度むらが発生する場合があることにある。
即ち、一般に、キードＡＧＣ（ｋｅｙｅｄ  ＡＧＣ）動作の応答時間は、一画面（即ち、一フィールド）時間内に設定されているため、従来のＡＧＣ動作においては、ピークＡＧＣ（ｐｅａｋ  ＡＧＣ）動作についても、一画面時間内に応答することとなるが故に、一画面内で、映像信号のピーク振幅レベルＶｐ２が、基準値Ｖｒｅｆを超過する場合と超過しない場合とがあると、両者の場合について、複合映像信号の振幅レベルに相違が発生することとなり、一画面内で輝度むらが発生してしまうこととなる。
【００３５】
更には、第３の問題としては、同期信号の分離が不安定となる場合もある点にある。
即ち、図７に示すＡＧＣ回路においては、同期分離回路７２に入力する同期分離入力信号を、同期クランプ回路７１の出力である複合映像信号としているが、もし、ＡＧＣ回路に入力され、同期クランプ回路７１から出力されている複合映像信号に含まれている同期信号の振幅レベルが小さい場合には、同期分離回路７２での同期分離が不安定となってしまう。
【００３６】
かかる不安定を防止する手段として、同期分離回路７２に入力する同期分離入力信号を、同期クランプ回路７１ではなく、ＡＧＣ用ＶＣＡ７８の出力である複合映像信号とすることも可能ではあるが、ピークＡＧＣ（ｐｅａｋ  ＡＧＣ）が動作した場合には、たとえ、ＡＧＣ用ＶＣＡ７８の出力の複合映像信号を用いる場合であっても、同期信号の振幅レベルが小さくなってしまうことがあるため、前述の同期クランプ回路７１の出力を用いる場合と同様に、同期分離が不安定となる場合を防ぎ切れない。
【００３７】
続いて、特開昭５８−１２７４８０号公報「ＡＧＣ装置」にて開示されているＡＧＣ回路の構成については、次のごとき問題がある。
即ち、図９に示すごとく、ピークＡＧＣ動作が、同期分離回路ＳＹＮＣＳＥＰ９８により、入力された複合映像信号から同期信号を分離させる場合に対しては作用しているものの、入力された複合映像信号のうちの映像信号に対しては、直接的に作用していないため、入力された映像信号に直接作用することができるＡＧＣの効果は、キードＡＧＣのみとなってしまっている。
【００３８】
而して、映像信号に重畳された同期信号の振幅レベルが基準レベルよりも小さい場合には、映像信号に対するＡＧＣゲインが増加し過ぎることによる信号歪が発生してしまうという弊害が生じる。
【００３９】
更には、同期分離用の複合映像信号に、キードＡＧＣを作用させていないため、図７に示す併用型ＡＧＣ回路における第３の問題として前述した場合と同様に、同期信号の振幅レベルが基準レベルよりも小さい場合に、同期分離が不安定となるという問題も有している。
【００４０】
また、特開平１１−２８９５０５号公報「映像信号処理回路」にて開示されているＡＧＣ回路の構成については、次のごとき問題がある。
即ち、図７に示す併用型ＡＧＣ回路の場合における第１の問題と同様に、図１０に示すキードＡＧＣ動作の制御とピークＡＧＣ動作の制御とが、同一のゲインコントロールアンプ１０１に作用しているため、キードＡＧＣ制御とピークＡＧＣ制御との切り替え時にＡＧＣ動作の不安定を招き、複合映像信号レベルに関し、時間によるレベル変動（即ち、リップル）が発生することとなるという問題がある。
【００４１】
また、ＡＧＣ回路の応答速度を高速化させるために、前述のごとく、入力複合映像信号の変化レベルが大きい場合に、ピークＡＧＣ動作の動作時間単位をフィールドあるいはフレーム時間単位から水平ライン時間単位に切り替える処理が行なわれている。
しかしながら、水平ライン時間単位毎の処理では、一画面内での輝度むらの発生を防止することは難しいという問題を有している。
そこで、図１０に示すＡＧＣ回路においては、後段の乗算器１１７において、かかる一画面内での輝度むらの発生を防止するための制御がなされることとしている。
【００４２】
しかしながら、たとえば、ピークＡＧＣ動作の動作基準値（即ち、図１０に示すレベル設定器１１０にて設定されているＡＧＣの収束値）を超過した画素が、一画面内で、１００ライン分の時間間隔を隔てて２画素存在していた場合において、一つ目の画素が、動作基準値の１.５倍、また、二つ目の画素が、動作基準値の２.０倍のレベルであったとすると、ピークＡＧＣ動作が、あくまでも、フィードバック制御であるために、原理的にも、一つ目の画素に関して、前記動作基準値の超過が検知された際に設定されるＡＧＣ制御値と、該一つ目の画素から１００ライン分の時間間隔が隔たった二つ目の画素に関して、前記動作基準値の超過が検知された際に設定されるＡＧＣ制御値とが、同一の値となることはあり得ない。
而して、後段の乗算器１１７で、たとえ、一画面内の輝度むらを補正せんとしたとしても、完全に補正することはできない場合が存在していることとなる。
【００４３】
以上に示した従来技術における問題を整理すると、次の３つの問題に纏められる。即ち、
第１の問題は、キードＡＧＣ動作とピークＡＧＣ動作との切り替え時において、複合映像信号にリップルが発生することにある。
第２の問題は、ＡＧＣ応答速度を向上させる対策として、ピークＡＧＣの動作時間単位を水平ライン時間単位とすると、一画面内における輝度むらが生じることとなる波形歪の問題を回避することができないことにある。
第３の問題は、同期信号の振幅レベルが小さい場合に、同期信号を分離させる同期分離動作が不安定となることにある。
【００４４】
かかる３つの問題について、複合映像信号にリップルが生ずるとの第１の問題の発生要因は、キードＡＧＣ動作のフィードバック制御ループとピークＡＧＣ動作のフィードバック制御ループとを共用させていることにある。
【００４５】
また、一画面内での波形歪が生ずるとの第２の問題の発生要因は、ピークＡＧＣ動作の応答速度を向上させる手法として水平ライン時間単位に切り替えて駆動させていることにある。
【００４６】
更に、同期信号の振幅レベルが小さい場合に同期分離動作が不安定となる第３の問題の発生要因は、同期分離入力信号に関して、同期信号のみの振幅レベルを所定の値となるように、他の映像信号の振幅制御とは独立させた制御がなされていない点にある。
【００４７】
本発明に係るＡＧＣ回路及び録画装置は、かかる問題に鑑みてなされたものであり、前記第１の問題に関しては、キードＡＧＣ動作のフィードバック制御ループとピークＡＧＣ動作のフィードバック制御ループとを全く独立させた構成とすることにより解決せんとするものである。
【００４８】
また、前記第２の問題に関しては、ピークＡＧＣ動作における複合映像信号のピーク振幅レベルの検出周期を、一画面時間分に相当するフィールド時間単位毎の周期に固定することにより、一画面内における輝度むらの発生という波形歪の問題を回避せんとするものである。
なお、前記ピーク振幅レベルの検出周期を、フィールド時間単位毎の周期に固定する際において生じることとなる、複合映像信号の振幅レベルの急峻な変動が発生した場合におけるピークＡＧＣ動作の追従速度の低下という問題に関しては、かかる急岐な変動を示す過渡応答中であることを検知して、かくのごとき過渡応答期間にある場合にあっては、ピークＡＧＣ動作を制御するためのＡＧＣエラー量（即ち、ＡＧＣゲインの変化量）を増加させて、追従速度を向上させることにより、対処せんとするものである。
【００４９】
更には、前記第３の問題に関しては、前記第１の問題に対する解決手段と同様に、キードＡＧＣ動作のフィードバック制御ループとピークＡＧＣ動作のフィードバック制御ループとを全く独立させた構成として、ピークＡＧＣ動作に対して独立動作が可能となったキードＡＧＣ動作により、一定の振幅レベルに調整された同期信号を含む複合映像信号を同期分離のための信号とすることにより、解決せんとするものである。
【００５０】
【課題を解決するための手段】
第１の技術手段は、入力された複合映像信号を、所定の適切な振幅レベルに設定させるように調整制御するＡＧＣ回路において、前記複合映像信号の同期信号の振幅レベルに応じて、前記複合映像信号の振幅レベルを制御するキードＡＧＣ動作手段と、前記複合映像信号のピーク振幅レベルに応じて、前記複合映像信号の振幅レベルを制御するピークＡＧＣ動作手段とを備え、前記キードＡＧＣ動作手段と前記ピークＡＧＣ動作手段とを、互いに独立して動作せしめ、前記キードＡＧＣ動作手段により、ＡＧＣ動作に必要とする各種ゲート用信号を、前記複合映像信号に含まれる各同期信号の振幅レベルを揃えた状態に調整制御された複合映像信号から分離して生成せしめ、前記ピークＡＧＣ動作手段により、あらかじめ定められた各周期毎に、前記ピークＡＧＣ動作手段に入力される複合映像信号の最大ピーク振幅レベルとあらかじめ定められたピークＡＧＣ基準値との差分が、過渡応答閾値としてあらかじめ定められた閾値を超過している場合には、各前記周期毎に、前記差分に比例した調整量で、変化するＡＧＣゲインを生成せしめ、逆に、前記過渡応答閾値を超過していない場合には、各前記周期毎に、前記差分の大きさの如何によらず、あらかじめ定められた微小な一定調整量で、変化するＡＧＣゲインを生成せしめることを特徴とするものである。
【００５２】
第２の技術手段は、入力された複合映像信号を、所定の適切な振幅レベルに設定させるように調整制御するＡＧＣ回路において、前記複合映像信号の同期信号の振幅レベルに応じて、前記複合映像信号の振幅レベルを制御するキードＡＧＣ動作手段と、前記複合映像信号のピーク振幅レベルに応じて、前記複合映像信号の振幅レベルを制御するピークＡＧＣ動作手段とを備え、前記キードＡＧＣ動作手段と前記ピークＡＧＣ動作手段とを、互いに独立して動作せしめ、前記キードＡＧＣ動作手段により、ＡＧＣ動作に必要とする各種ゲート用信号を、前記複合映像信号に含まれる各同期信号の振幅レベルを揃えた状態に調整制御された複合映像信号から分離して生成せしめ、前記ピークＡＧＣ動作手段により、あらかじめ定められた各周期毎に、前記ピークＡＧＣ動作手段に入力される複合映像信号の最大ピーク振幅レベルと前記ピークＡＧＣ基準値との差分が、過渡応答閾値を超過していない場合においては、前記複合映像信号の振幅レベルが前記ピークＡＧＣ基準値を、各前記周期毎に、超過している超過回数を計数することにより、該超過回数が、あらかじめ定められた基準回数を超過している際には、各前記周期毎に、前記ＡＧＣゲインをあらかじめ定められた微小な一定調整量で減衰せしめ、逆に、前記超過回数が、前記基準回数を超過しない限りにおいては、各前記周期毎に、前記ＡＧＣゲインをあらかじめ定められた微小な前記一定調整量で減衰量をゼロにせしめることを特徴とするものである。
【００５３】
第３の技術手段は、入力された複合映像信号を、所定の適切な振幅レベルに設定させるように調整制御するＡＧＣ回路において、前記複合映像信号の同期信号の振幅レベルに応じて、前記複合映像信号の振幅レベルを制御するキードＡＧＣ動作手段と、前記複合映像信号のピーク振幅レベルに応じて、前記複合映像信号の振幅レベルを制御するピークＡＧＣ動作手段とを備え、前記キードＡＧＣ動作手段と前記ピークＡＧＣ動作手段とを、互いに独立して動作せしめ、前記キードＡＧＣ動作手段により、ＡＧＣ動作に必要とする各種ゲート用信号を、前記複合映像信号に含まれる各同期信号の振幅レベルを揃えた状態に調整制御された複合映像信号から分離して生成せしめ、前記ピークＡＧＣ動作手段により、あらかじめ定められた各周期毎に、前記ピークＡＧＣ動作手段に入力される複合映像信号の最大ピーク振幅レベルと前記ピークＡＧＣ基準値との差分が、過渡応答閾値を超過している場合においては、各前記周期毎に、前記複合映像信号の最大ピーク振幅レベルが前記ピークＡＧＣ基準値よりも大きい場合は、前記ＡＧＣゲインを、前記差分に比例した調整量で減衰せしめ、逆に、各前記周期毎に、前記複合映像信号の最大ピーク振幅レベルが前記ピークＡＧＣ基準値を超過しない限りにおいては、前記ＡＧＣゲインを、前記差分に比例した前記調整量で減衰量をゼロにせしめることを特徴とするものである。
【００５４】
第４の技術手段は、前記第１乃至第３の技術手段のいずれかに記載のＡＧＣ回路において、前記ピークＡＧＣ動作手段は、各前記周期毎に、前記ピークＡＧＣ動作手段に入力される複合映像信号のピーク振幅レベルと前記ピークＡＧＣ基準値とが一致している場合、入力された該ピーク振幅レベルをそのまま維持するＡＧＣゲインを生成せしめることを特徴とするものである。
【００５５】
第５の技術手段は、前記第１乃至第４の技術手段のいずれかに記載のＡＧＣ回路において、前記あらかじめ定められた各周期が、一画面時間を示すフィールド時間単位の周期であるとするＡＧＣ回路とすることを特徴とするものである。
【００５６】
第６の技術手段は、前記第１乃至第５の技術手段のいずれかに記載のＡＧＣ回路を備えている録画装置とすることを特徴とするものである。
【００５７】
即ち、前述のごとき各技術手段を採用したＡＧＣ回路を構成することにより、キードＡＧＣ（ｋｅｙｅｄ  ＡＧＣ）動作とピークＡＧＣ（ｐｅａｋ  ＡＧＣ）動作との切り替え時に発生するリップルを防止することができ、入力ビデオ信号即ち入力複合映像信号の振幅レベルの変化量が大きい場合であっても、ＡＧＣ回路の応答時間に問題がなく、また、同期信号を分離する同期分離に関しても、キードＡＧＣ動作によって同期信号の振幅レベルが安定した複合映像信号に含まれている同期信号成分から確実に同期分離が行なわれるため、安定したＡＧＣ動作が実現されることになる。
【００５８】
【発明の実施の形態】
以下に、本発明に係るＡＧＣ回路及び録画装置の一実施形態について、図面を参照しながら説明する。
図１は、本発明に係るＡＧＣ回路の回路構成の一例を示した回路ブロック図である。ここに、図1に示すごとく、本発明に係るＡＧＣ回路１は、キードＡＧＣ（ｋｅｙｅｄ  ＡＧＣ）動作を行なうキードＡＧＣ動作部１ａと、ピークＡＧＣ（ｐｅａｋ  ＡＧＣ）動作を行なうピークＡＧＣ動作部１ｂとの２つの回路ブロックから構成されており、それぞれの回路ブロックが、互いに独立して動作を行なうことが可能な構成となっている。
【００５９】
図１において、１１は、キードＡＧＣ用ＶＣＡ（Ｖｏｌｔａｇｅ−Ｃｏｎｔｒｏｌｌｅｄ  Ａｍｐｌｉｆｉｅｒ）であり、ＡＧＣ回路に入力された複合映像信号の振幅レベルに関し、キードＡＧＣ動作により、複合映像信号のうち、同期信号成分の振幅レベルが、キードＡＧＣ基準値設定器１４にて設定されているキードＡＧＣ基準値のレベルと一致するように、制御がなされる。
【００６０】
１２は、低域フィルタＬＰＦであり、キードＡＧＣ用ＶＣＡ１１からの複合映像信号から、映像信号成分と高域ノイズ成分とを除去し、同期信号成分を抽出して取り出すためのものである。
【００６１】
１３は、同期分離回路であり、低域フィルタＬＰＦ１２からの同期信号成分から同期信号を分離して、分離されて得られた水平同期信号を基に、キードＡＧＣ用ＶＣＡ制御値生成回路１５用のゲート信号であるゲートパルスＡと、分離して得られた垂直同期信号を基に、ピークＡＧＣ用ＶＣＡ制御値生成回路１９用のゲート信号であるゲートパルスＢとを生成するものである。
【００６２】
１５は、前述のごとく、キードＡＧＣ用ＶＣＡ制御値生成回路であり、同期分離回路１３から供給されるキードＡＧＣ用ＶＣＡ制御値生成回路１５用のゲート信号であるゲートパルスＡのタイミングにて、低域フィルタ１２からの同期信号成分のピーク振幅レベルと、キードＡＧＣ基準値設定器１４で設定されているキードＡＧＣ収束値（即ち、キードＡＧＣ基準値）とのずれ量を検出して、該ずれ量に比例したキードＡＧＣ制御値を、キードＡＧＣ用ＶＣＡ１１に対して出力することにより、キードＡＧＣ用ＶＣＡ１１の出力である複合映像信号に含まれる同期信号のピーク振幅レベルが、キードＡＧＣ基準値設定器１４で設定されているキードＡＧＣ収束値（即ち、キードＡＧＣ基準値）と一致した振幅レベルとなるように、ＡＧＣループゲインの利得制御がなされ、キードＡＧＣループ制御を実行せしめる。
【００６３】
１６は、同期クランプ回路であり、複合映像信号に含まれている同期信号のピーク振幅レベル（即ち、先端レベル）が、所定の振幅レベルに揃うように動作し、ピークＡＧＣ用ＶＣＡ１７に対して出力するものである。
【００６４】
１７は、前述のごとく、ピークＡＧＣ用ＶＣＡであり、同期クランプ回路１６から出力される複合映像信号の振幅レベルに関し、ピークＡＧＣ動作により、複合映像信号のうち、映像信号のピーク振幅レベルが、ピークＡＧＣ基準値設定器２０で設定されているピークＡＧＣ基準値のレベルと一致するように制御がなされる。
【００６５】
１８は、低域フィルタＬＰＦであり、ピークＡＧＣ用ＶＣＡ１７のピークＡＧＣ動作により制御されるべき複合映像信号が、極めて短い時間幅のインパルス性ノイズに対して応答して動作してしまうことを防止するためのものである。
【００６６】
１９は、ピークＡＧＣ用ＶＣＡ制御値生成回路であり、一画面時間分に相当するフィールド時間周期毎に、即ち、同期分離回路１３から供給されてくるピークＡＧＣ用ＶＣＡ制御値生成回路１９用のゲート信号であるゲートパルスＢの発生周期毎に、周期的に、低域フィルタ１８からの複合映像信号のピーク振幅レベルと、ピークＡＧＣ基準値設定器２０で設定されている参照値（即ち、ピークＡＧＣ用基準値）とが比較され、該参照値を超過していた場合には、ピークＡＧＣ用ＶＣＡ１７に対して、ＶＣＡ利得を下げるような減衰利得を与えるＡＧＣ制御値（即ち、ＡＧＣゲイン）を出力する。
【００６７】
一方、該参照値を超過していない場合においては、ピークＡＧＣ用ＶＣＡ１７に対して、ＶＣＡ利得を上げるような増幅利得を与えるＡＧＣ制御値（即ち、ＡＧＣゲイン）を出力する。
【００６８】
更には、該参照値と一致している場合には、ピークＡＧＣ用ＶＣＡ１７のＶＣＡ利得を「１」の値（即ち、入力ピーク振幅レベルをそのまま維持して出力する値）とするようなＡＧＣ制御値（即ち、ＡＧＣゲイン）を出力する。
【００６９】
ここで、ピークＡＧＣ用ＶＣＡ制御値生成回路１９の動作について、図２を用いて、更に詳細に説明する。図２は、図１に示すピークＡＧＣ用ＶＣＡ制御値生成回路１９を構成する回路ブロックの一例を示すブロック構成図である。
【００７０】
図２において、図１に示す低域フィルタＬＰＦ１８からの複合映像信号は、入力値判定器１９ａと最大値判定器１９ｃとにそれぞれ入力される。
まず、入力値判定器１９ａにおいては、入力された複合映像信号のピーク振幅レベルが、図１に示すピークＡＧＣ基準値設定器２０で設定されている参照値（即ち、ピークＡＧＣ基準値）を、図１に示す同期分離回路１３からのピークＡＧＣ用ＶＣＡ制御値生成回路１９用のゲート信号であるゲートパルスＢの発生時間間隔（即ち、一画面時間を示すフィールド時間単位の周期）の間に、何回超過したかをカウントしていき、該カウントにより求められた超過回数を、エラー値生成器１  １９ｂに出力する。
【００７１】
エラー値生成器１  １９ｂにおいては、入力された前記超過回数が、各周期毎に（即ち、一画面時間を示すフィールド時間単位の周期毎に）、あらかじめ定められた所定の閾値である基準回数を超過しているか判定し、該基準回数を超過していると判定した場合には、あらかじめ定められた正の所定のエラー値（即ち、ピークＡＧＣ用ＶＣＡ１７のＡＧＣゲインを、微小な一定調整量で減衰せしめる値）を、エラーＡとして、後段の切替回路ＳＷＩＴＣＨ１９ｆに出力し、逆に、該基準回数を超過していないと判定した場合には、あらかじめ定められた負の所定のエラー値（即ち、ピークＡＧＣ用ＶＣＡ１７のＡＧＣゲインを、逆に、微小な前記一定調整量で減衰量をゼロにせしめる値）を、エラーＡとして、後段の切替回路ＳＷＩＴＣＨ１９ｆに出力する。
【００７２】
一方、最大値判定器１９ｃにおいては、入力された複合映像信号のピーク振幅レベルが、図１に示す同期分離回路１３からのピークＡＧＣ用ＶＣＡ制御値生成回路１９用のゲート信号であるゲートパルスＢの発生時間間隔（即ち、一画面時間を示すフィールド時間）の間における最大値となっている最大ピーク振幅レベルを導出する。
【００７３】
導出された前記最大ピーク振幅レベルは、エラー値生成器２  １９ｄと過渡応答モード判定器１９ｅとに出力される。
まず、エラー値生成器２  １９ｄにおいては、入力されてきた前記最大ピーク振幅レベルと、図１に示すピークＡＧＣ基準値設定器２０で設定されているピークＡＧＣ基準値（即ち、参照値）との差分を求めた後、該差分に所定の係数（即ち、ＡＧＣゲインに比例する所定の数値）を乗算せしめて、エラーＢとして、後段の切替回路ＳＷＩＴＣＨ１９ｆに出力する。ここで、入力された前記最大ピーク振幅レベルが、前記ピークＡＧＣ用基準値よりも大きい場合には、エラーＢとして、正の値（即ち、ピークＡＧＣ用ＶＣＡ１７のＡＧＣゲインを、前記差分に比例した調整量で減衰せしめる値）を出力し、逆に、前記ピークＡＧＣ用基準値を超過しない限りにおいては、エラーＢとして、負の値（即ち、ピークＡＧＣ用ＶＣＡ１７のＡＧＣゲインを、逆に、前記差分に比例した調整量で減衰量をゼロにせしめる値）を出力する。
【００７４】
一方、過渡応答モード判定器１９ｅにおいては、入力されてきた前記最大ピーク振幅レベルと図１に示すピークＡＧＣ基準値設定器２０で設定されている前記ピークＡＧＣ基準値との差分が、あらかじめ定められた所定の過渡応答閾値よりも大きい場合には、当該ピークＡＧＣ動作が、過渡応答期間であるものと判定し、例えば、「１」の論理値を、後段の切替回路ＳＷＩＴＣＨ１９ｆに出力する。
【００７５】
逆に、該差分が、あらかじめ定められた所定の前記過渡応答閾値よりも大きくない場合には、当該ピークＡＧＣ動作が、安定動作期間にあるものと判定して、例えば、「０」の論理値を、後段の切替回路ＳＷＩＴＣＨ１９ｆに出力する。
【００７６】
ここで、過渡応答モード判定器１９ｅから後段の切替回路ＳＷＩＴＣＨ１９ｆに出力される前記論理値は、後段の切替回路ＳＷＩＴＣＨ１９ｆにおける切替制御用のコントロール信号となるものであり、切替回路ＳＷＩＴＣＨ１９ｆにおいては、例えば、論理値が「１」の場合、即ち、過渡応答期間にあると判定された場合には、エラー値生成器２  １９ｄからのエラーＢが選択されて、選択エラー値として出力され、一方、論理値が「０」の場合、即ち、安定動作期間にあると判定された場合には、エラー値生成器１  １９ｂからのエラーＡが選択されて、選択エラー値として出力される。
【００７７】
次に、切替回路ＳＷＩＴＣＨ１９ｆから出力される前記選択エラー値について、図３を用いて、更に詳細に説明する。
図３は、図２に示す切替回路ＳＷＩＴＣＨ１９ｆから出力される前記選択エラー値と、図２に示すピークＡＧＣ用ＶＣＡ制御値生成回路１９に入力された複合映像信号のピーク振幅レベルと前記ピークＡＧＣ基準値とのずれ量（即ち、差分）との関係を模式的に示すグラフであり、横軸に前記ずれ量（即ち、差分）を、縦軸に前記選択エラー値を示している。
ここに、前記ずれ量とは、最大値判定器１９ｃにおいて導出された前記最大ピーク振幅レベルと、図１に示すピークＡＧＣ基準値設定器２０で設定されているピークＡＧＣ基準値との差分を示すものである。
【００７８】
また、図２に示す過渡応答モード判定器１９ｅにおいて過渡応答期間の判定用として用いられるあらかじめ定められた所定の前記過渡応答閾値が、図３においては、横軸のずれ量の値として、「ａ」あるいは「−ａ」と表示されている。ここに、「ａ」は正数としている。
【００７９】
更に、ずれ量が少なく、安定動作期間と判定されている際に、切替回路ＳＷＩＴＣＨ１９ｆにおいて、選択エラー値として、選択されることとなるエラー値生成器１  １９ｂからエラーＡとして出力されている微小な一定値（即ち、あらかじめ定められた微小な一定調整量）が、図３においては、縦軸のエラー値として、「ｂ」あるいは「−ｂ」と表示されている。ここに、「ｂ」は正数としている。
なお、前記ずれ量（即ち、差分）が、前記過渡応答閾値「ａ」あるいは「−ａ」となった時点において、エラー値生成器２  １９ｄからエラーＢとして出力されている値も、「ｂ」あるいは「−ｂ」となるように、エラー値生成器２  １９ｄのゲイン（即ち、前記所定の係数）が制御されている。
【００８０】
而して、図３において、入力された複合映像信号のピーク振幅レベルと前記ピークＡＧＣ基準値とのずれ量ｘと、切替回路ＳＷＩＴＣＨ１９ｆから出力される前記選択エラー値ｙとの関係は、次の式（１），（２），（３）により表現される。即ち、ＡＧＣの安定動作期間を示す０≦｜ｘ｜≦｜ａ｜の場合においては、
ｘ＝０の場合、              ｙ＝０                      （１）
０＜｜ｘ｜≦｜ａ｜の場合、  ｙ＝｜ｂ｜                  （２）
ここに、符号｜  ｜は絶対値を示し、ｘの値が正数であれば、｜ａ｜，｜ｂ｜は、それぞれ、ａ，ｂであり、ｘの値が負数であれば、｜ａ｜，｜ｂ｜は、それぞれ、−ａ，−ｂである。
【００８１】
即ち、ずれ量ｘが極めて小さいＡＧＣ動作の安定動作期間においては、ずれ量（即ち、差分）ｘが全くない場合でない限り（即ち、ｘ≠０の場合）、式（２）に示すごとく、前記選択エラー値ｙとしては、ｘが正数であれば、差分の大きさの如何によらず、微小な一定の正数であるｂを、逆に、ｘが負数であれば、差分の大きさの如何によらず、微小な一定の負数である−ｂを出力することとなる。また、ずれ量ｘがない０である場合（即ち、ｘ＝０の場合）には、式（１）に示すごとく、前記選択エラー値ｙも０を出力する。
【００８２】
なお、ＡＧＣ動作の安定動作期間においては、ずれ量ｘが極めて小さい場合であり、前述したように、ピーク振幅レベルがピークＡＧＣ基準値を超過している超過回数に応じて、前記基準回数よりも多い場合には、正の微少な一定調整量ｂを、逆に、前期基準回数を超えていない場合には、全く一致している場合でない限り、負の微少な一定調整量−ｂを出力することとしている。
【００８３】
一方、ＡＧＣ動作の過渡応答期間を示す｜ｘ｜＞｜ａ｜の場合においては、ずれ量ｘが大きく、過渡応答期間と判定された場合に該当しており、かかる場合においては、切替回路ＳＷＩＴＣＨ１９ｆにおいて選択されることとなるエラー値生成器２  １９ｄからエラーＢとして出力されている値が、選択エラー値ｙとなる。
即ち、次の式（３）のごとくになる。
｜ｘ｜＞｜ａ｜の場合、  ｙ＝α（ｘ−｜ａ｜）＋｜ｂ｜    （３）
ここに、αは、前述した所定の係数（即ち、ＡＧＣゲインに比例する所定の数値）であり、ずれ量ｘに対して乗算する値を示すものであり、正の数である。
また、前述した式（１），（２）の場合と同様に、ｘの値が正数であれば、｜ａ｜，｜ｂ｜は、それぞれ、ａ，ｂであり、ｘの値が負数であれば、｜ａ｜，｜ｂ｜は、それぞれ、−ａ，−ｂである。
【００８４】
而して、過渡応答期間の閾値を示すｘ＝｜ａ｜において設定されている、選択エラー値ｙ＝｜ｂ｜を起点として、ずれ量ｘの大きさに比例して、選択エラー値ｙの大きさも、変化して出力されることとなる。
【００８５】
即ち、エラーＢは、前述のごとく、エラー値生成器２  １９ｄに入力されてきた複合映像信号の前記最大ピーク振幅レベルと、前記ピークＡＧＣ用基準値との差分を求めて、該差分に所定の係数（即ち、ＡＧＣゲインに比例する所定の数値）αを乗算せしめたものであり、過渡応答期間におけるずれ量ｘに対する選択エラー値ｙの係数αは、エラー値生成器２  １９ｄにおいて、前記所定の係数（即ち、ＡＧＣゲインに比例する所定の数値）として設定される。
【００８６】
次に、図２に戻り、切替回路ＳＷＩＴＣＨ１９ｆから出力された前記選択エラー値が入力される積分器１９ｇ以降の回路の動作について説明する。
即ち、切替回路ＳＷＩＴＣＨ１９ｆから出力された図３に示すごとき特性を有する前記選択エラー値は、積分器１９ｇによって、積分される。
ここに、積分の周期は、図１に示す同期分離回路１３からのピークＡＧＣ用ＶＣＡ制御値生成回路１９用のゲート信号であるゲートパルスＢの発生時間間隔（即ち、一画面時間を示すフィールド時間の周期）である。
【００８７】
積分器１９ｇで積分された前記選択エラー値は、ループゲイン調整回路１９ｈに入力されて、ループ利得調整が行なわれ、ループ利得調整値として、後段の減算器１９ｉに出力される。
減算器１９ｉにおいては、ピークＡＧＣ初期動作ゲイン設定器１９ｊにて設定されている初期ＡＧゲイン値から、ループゲイン調整回路１９ｈから出力されてくる前記ループ利得調整値を差し引いて、図１に示すピークＡＧＣ用ＶＣＡ１７のＡＧＣ制御値（ＡＧゲイン）として、ピークＡＧＣ用ＶＣＡ制御値生成回路１９から出力される。
【００８８】
ここで、次に示す２つの事例を用いて、前述したピークＡＧＣ動作に関する動作例について、更に具体的に説明する。
【００８９】
まず、第１の事例として、図１に示すキードＡＧＣ用ＶＣＡ１１に入力された複合映像信号の同期信号のピーク振幅レベルが、キードＡＧＣ基準値設定器１４で設定されているキードＡＧＣ収束値（即ち、キードＡＧＣ基準値）よりも小さいために、キードＡＧＣ動作のゲインが増大されている場合における、ピークＡＧＣ動作について説明する。
【００９０】
キードＡＧＣ動作のゲイン増加によって、たとえば、ピークＡＧＣ用ＶＣＡ１７に入力されてくる複合映像信号のピーク振幅レベルが、ピークＡＧＣ基準値設定器２０で設定されているピークＡＧＣ基準値のレベルの約２倍にまで増大していたとすると、かかる場合においては、ピークＡＧＣ動作側の図２に示す過渡応答モード判定器１９ｅによって、過渡応答期間にある動作状態と判定される。
【００９１】
而して、切替回路ＳＷＩＴＣＨ１９ｆから出力されて積分器１９ｇに入力される選択エラー値は、エラー値生成器２  １９ｄから出力されるエラーＢとなる。
したがって、図３のグラフにて説明した通り、選択エラー値即ちエラーＢは、各周期毎に、ピークＡＧＣ基準値との間のずれ量（即ち、差分）に比例した大きな正の値（即ち、ＡＧＣゲインを減衰せしめる方向に調整する大きな調整量）となるので、図２に示す積分器１９ｇから、該調整量が累積されて出力される積分量が大幅に増大することとなり、該積分量の変化がプラス側に大きくなる。
【００９２】
而して、図２に示すループゲイン調整回路１９ｈから出力されるループ利得調整値が急速に増大するため、図１に示すピークＡＧＣ用ＶＣＡ制御値生成回路１９から出力されるピークＡＧＣ用ＶＣＡ１７に対するＡＧＣ制御値（即ち、ＡＧＣゲイン）が、ＡＧＣゲインを減衰せしめる方向に急速に増大して変化することとなり、ピークＡＧＣ用ＶＣＡ１７のＡＧＣゲインが、各周期毎に、急速に減衰されていくこととなる。
【００９３】
ピークＡＧＣ用ＶＣＡ１７のＡＧＣゲイン低下に伴い、ピークＡＧＣのループゲインの設定値如何にも依存するが、通常、約５フィールド時間程度の時間が経過すれば、図１に示すピークＡＧＣ用ＶＣＡ制御値生成回路１９に入力されてくる複合映像信号のピーク振幅レベルが、ピークＡＧＣ基準値設定器２０で設定されているピークＡＧＣ基準値のレベルに対して、所定の範囲、即ち、前記過渡応答閾値の範囲に収まり、図２に示す過渡応答モード判定器１９ｅによって、安定動作期間に移行しているとの判定がなされる。
【００９４】
而して、切替回路ＳＷＩＴＣＨ１９ｆから出力されて積分器１９ｇに入力される選択エラー値は、エラー値生成器１  １９ｂから出力されるエラーＡとなる。
したがって、図３のグラフにて説明した通り、選択エラー値即ちエラーＡは、ピークＡＧＣ基準値との間のずれ量の如何によらず、微小な一定調整量（即ち、図３においては、一定値である｜ｂ｜）となるので、かかる微小な一定調整量（即ち、ピークＡＧＣ用ＶＣＡ１７のＡＧＣゲインに対する微小な一定調整量）が、各周期毎に、図２に示す積分器１９ｇから累積出力されることとなり、積分器１９ｇの出力である積分量の変化は極めて小さい量となる。
【００９５】
かくのごときＡＧＣ動作がなされた結果、図１に示すピークＡＧＣ用ＶＣＡ制御値生成回路１９から出力されるピークＡＧＣ用ＶＣＡ１７に対するＡＧＣ制御値（即ち、ＡＧＣゲインの変化量）がごく小さいものとなり、ピークＡＧＣ用ＶＣＡ１７から出力されるピークＡＧＣ複合映像信号は安定したものとなる。
【００９６】
以上に示す第１の事例、即ち、ピークＡＧＣ用ＶＣＡ１７に入力されてくる複合映像信号のレベルの急峻な振幅増加が発生した場合におけるピークＡＧＣ動作結果として、ピークＡＧＣ用ＶＣＡ１７から出力されてくるピークＡＧＣ複合映像信号の一連の変化を、図４に示している。
即ち、図４においては、ピークＡＧＣ用ＶＣＡ１７から出力されてくるピークＡＧＣ複合映像信号に関して、かかる第１の事例の場合における振幅レベルの時間的な変化の状況を示している。
【００９７】
なお、図４において、ピークＡＧＣ複合映像信号の振幅レベルの変化に関する時間的な周期は、１画面時間単位（即ち、１フィールド時間単位）の周期となっている。
また、図４には、ピークＡＧＣ複合映像信号のピーク振幅レベルを破線により結んで示しているが、かかる破線に示すごとく、過大な振幅レベルの複合映像信号の入力がなされた過渡応答期間から安定動作期間のＡＧＣ動作状態に至るまでに、約５フィールド時間程度と、極めて迅速に応答して、一点鎖線で示すピークＡＧＣ基準値のレベルまで移行させることが可能である。
【００９８】
また、図４において二点鎖線で示す直線は、ピークＡＧＣ動作の動作モードを常に安定動作期間のみとした場合におけるピークＡＧＣ複合映像信号のピーク振幅レベルの変化を示しており、ピークＡＧＣ基準値に到達するまでの応答時間が極めて長くなっている状態を示している。
【００９９】
次に、第２の事例として、図１に示すピークＡＧＣ用ＶＣＡ１７に入力されてくる複合映像信号のピーク振幅レベルが、過大なレベルになっていたために、ＡＧＣゲインが下がっている状態（即ち、利得減衰量が増大している状態）において、標準の振幅レベル（即ち、ピークＡＧＣ基準値設定器２０で設定されているピークＡＧＣ基準値と同一レベル）にある複合映像信号が切り替わって入力されてきた場合における、ピークＡＧＣ動作について説明する。
【０１００】
かかる場合においては、利得減衰量が増大している状態にあるピークＡＧＣ用ＶＣＡ１７から出力されて、図１に示すピークＡＧＣ用ＶＣＡ制御値生成回路１９に対して入力される入力複合映像信号のピーク振幅レベルが、ピークＡＧＣ基準値に比して、大幅に下回ってしまうので、図２に示す過渡応答モード判定器１９ｅによって、過渡応答期間にある動作状態として判定される。而して、切替回路ＳＷＩＴＣＨ１９ｆから出力されて積分器１９ｇに入力される選択エラー値は、エラー値生成器２  １９ｄから出力されるエラーＢとなる。
【０１０１】
したがって、図３のグラフにて説明した通り、かかる場合においては、ピークＡＧＣ基準値とのずれ量（即ち、差分）がマイナス側になり、選択エラー値即ちエラーＢは、各周期毎に、ピークＡＧＣ基準値との間のずれ量（即ち、差分）に比例した大きな負の値（即ち、ＡＧＣゲインを増幅せしめる方向に調整する大きな調整量）となるので、図２に示す積分器１９ｇから出力される積分量が、大幅に放出（減少）されていくこととなり、該積分量の変化がマイナス側に大きくなる。
【０１０２】
而して、図２に示すループゲイン調整回路１９ｈから出力されるループ利得調整値が急速に減衰するため、図１に示すピークＡＧＣ用ＶＣＡ制御値生成回路１９から出力されるピークＡＧＣ用ＶＣＡ１７に対するＡＧＣ制御値が、ＡＧＣゲインを増幅せしめる方向に急速に増加して変化することとなり、ピークＡＧＣ用ＶＣＡ１７のＡＧＣゲインが、各周期毎に、急速に増加して、「１」（即ち、入力の振幅レベルをそのまま出力するＡＧＣゲイン）に近づいていくこととなる。
【０１０３】
ピークＡＧＣ用ＶＣＡ１７のＡＧＣゲインが急速に「１」に近づくにつれ、ピークＡＧＣ用ＶＣＡ１７に入力されてくる複合映像信号のピーク振幅レベルが、ピークＡＧＣ基準値を上回らない限りにおいて、ピークＡＧＣ用ＶＣＡ１７から出力される複合映像信号のピーク振幅レベルも、標準の振幅レベルに急速に近づいていく。
【０１０４】
而して、図５に示すごとく、約５フィールド時間程度の時間経過で、ピークＡＧＣ用ＶＣＡ１７のＡＧＣゲインは、最終的に、「１」に調整設定されていき、ピークＡＧＣ用ＶＣＡ制御値生成回路１９に入力されてくる複合映像信号のピーク振幅レベルが、ピークＡＧＣ基準値設定器２０で設定されているピークＡＧＣ基準値のレベルに対して、所定の範囲、即ち、前記過渡応答閾値の範囲に収まり、図２に示す過渡応答モード判定器１９ｅによって、安定動作期間に移行しているとの判定がなされる。
【０１０５】
而して、切替回路ＳＷＩＴＣＨ１９ｆから出力されて積分器１９ｇに入力される選択エラー値は、エラー値生成器１  １９ｂから出力されるエラーＡとなる。したがって、図３のグラフにて説明した通り、選択エラー値即ちエラーＡは、ピークＡＧＣ基準値との間のずれ量の如何によらず、微小な一定調整量（即ち、図３においては、一定値である｜ｂ｜）となるので、かかる微小な一定調整量（即ち、ピークＡＧＣ用ＶＣＡ１７のＡＧＣゲインに対する微小な一定調整量）が、各周期毎に、図２に示す積分器１９ｇから累積出力されることとなり、積分器１９ｇの出力である積分量の変化は極めて小さい量となる。
【０１０６】
かくのごときＡＧＣ動作がなされた結果、図１に示すピークＡＧＣ用ＶＣＡ制御値生成回路１９から出力されるピークＡＧＣ用ＶＣＡ１７に対するＡＧＣ制御値（即ち、ＡＧＣゲインの変化量）がごく小さいものとなり、ピークＡＧＣ用ＶＣＡ１７から出力されるピークＡＧＣ複合映像信号は安定したものとなる。
【０１０７】
以上に示す第２の事例、即ち、ピークＡＧＣ用ＶＣＡ１７のＡＧＣゲインが低下している状態（即ち、利得減衰量が増大している状態）で、ピークＡＧＣ基準値のレベルと等しい標準レベルの複合映像信号がピークＡＧＣ用ＶＣＡ１７に入力されてくる場合におけるピークＡＧＣ動作結果として、ピークＡＧＣ用ＶＣＡ１７から出力されてくるピークＡＧＣ複合映像信号の一連の変化を、図５に示している。
即ち、図５においては、図４の場合と同様に、ピークＡＧＣ用ＶＣＡ１７から出力されてくるピークＡＧＣ複合映像信号に関して、かかる第２の事例の場合ににおける振幅レベルの時間的な変化の状況を示している。
【０１０８】
なお、図５において、図４の場合と同様に、ピークＡＧＣ複合映像信号の振幅レベルの変化に関する時間的な周期は、１画面時間単位（即ち、１フィールド時間単位）の周期となっている。
また、図５には、ピークＡＧＣ複合映像信号のピーク振幅レベルを破線により結んで示しているが、かかる破線に示すごとく、入力される複合映像信号が標準の振幅レベルに切り替わった直後には、ピークＡＧＣ用ＶＣＡ１７から出力されるピークＡＧＣ複合映像信号のピーク振幅レベルが、ピークＡＧＣ基準値の約１／２程度になされたような過渡応答期間に移行した場合であっても、該過渡応答期間から安定動作期間のＡＧＣ動作状態に至るまでに、約５フィールド時間程度と、極めて迅速に応答して、一点鎖線で示すピークＡＧＣ基準値のレベルまで復元させることが可能であり、以降は、安定なピークＡＧＣ動作がなされる。
【０１０９】
また、図５において二点鎖線で示す直線は、ピークＡＧＣ動作の動作モードを常に安定動作期間のみとした場合におけるピークＡＧＣ複合映像信号のピーク振幅レベルの変化を示しており、ピークＡＧＣ基準値に到達するまでの応答時間が極めて長くなっている状態を示している。
【０１１０】
次に、図６は、図１に示す本発明に係るＡＧＣ回路が備えられている録画装置の一例として、ＶＴＲ装置を例にとって、記録系の回路ブロック構成を示したブロック構成図である。
【０１１１】
即ち、図６において、本発明に係る録画装置の一例であるＶＴＲ装置６０は、次のごとき記録系の各回路ブロックを備えている。
６１は、低域フィルタＬＰＦであり、入力信号であるＮＴＳＣ信号のうち、低域周波数成分からなる輝度信号成分のみを透過させるものである。なお、該輝度信号成分には、同期信号も含まれている。
６２は、本発明に係るＡＧＣ回路（自動利得調整回路）であり、前述したごとく、キードＡＧＣ動作とピークＡＧＣ動作とを独立させて実行させることにより、常に、輝度信号の振幅ピーク値を所望の振幅レベルに一致させるように、自動調整することが可能である。
６３は、ＦＭ変調器であり、ＡＧＣ回路６２を経て、所定の振幅レベルに調整設定された輝度信号を規定のＦＭ信号に変換するものである。この際に、高域周波数部の振幅変調を行なうプリエンファシスもなされることとしても良い。
【０１１２】
また、６４は、帯域フィルタＢＰＦであり、色信号成分のみを透過させるものである。
６５は、ＡＣＣ（Ａｕｔｏ  Ｃｈｒｏｍａ  Ｃｏｎｔｒｏｌ）回路であり、常に一定であるべきカラーバースト信号の振幅と基準値との比較により、色信号成分のピーク振幅レベルを基準レベルと一致させるように振幅自動調整が行なわれるものである。
【０１１３】
６６は、周波数変換を行なうコンバータであり、色信号成分を規定の低域周波数に変換するものである。
６７は、混合器であり、ＦＭ変調器６３によりＦＭ信号に変換された輝度信号とコンバータ６６により低域周波数に変換された色信号とを混合して、多重信号とするものである。
６８は、録画増幅器であり、混合器６７からの多重信号を増幅して、記録媒体である磁気テープ上に、記録ヘッド６９により、所定の記録フォーマットで記録させるものである。
【０１１４】
即ち、図６に示す本発明に係るＶＴＲ装置６０においては、図１に示すごとき構成からなるＡＧＣ回路（自動利得調整回路）６２を用いることにより、入力されてくる複合映像信号の輝度信号に関する信号の振幅レベルを適切なレベルに自動的に設定せしめることにより、リップルもなく、輝度むらもなく、かつ、安定した画質の映像情報を記録せしめることが可能である。
【０１１５】
【発明の効果】
以上に説明したごとく、本発明に係るＡＧＣ回路及び該ＡＧＣ回路を備えた録画装置によれば、以下のような作用効果を得ることができる。
【０１１６】
キードＡＧＣ動作とピークＡＧＣ動作との両者のフィードバックループを独立とすることにより、かかる２つのＡＧＣ動作のフィードバックループを共用している場合において発生する出力複合映像信号におけるリップルの発生を抑止することが可能となる。
【０１１７】
ピークＡＧＣ動作に関しては、一画面時間単位（即ち、フィールド時間単位）で動作することとしているので、一画面以内で複合映像信号の同期信号の振幅レベルが変化することがなく、一画面内の輝度むらが生じることを防止できる。
【０１１８】
他方、入力複合映像信号の急峻な振幅レベルの変化があった場合においても、各周期毎に、ピークＡＧＣ動作の基準値レベルと大幅に異なる振幅レベルにある過渡応答期間を検出して、該過渡応答期間においては、ピークＡＧＣ動作の基準値レベルとの差分に比例した大きなＡＧＣエラー量（即ち、ピークＡＧＣ動作のＡＧＣゲイン制御値）を生成させて、ピークＡＧＣ動作のＡＧＣゲインを調整させることにより、実用的に、全く問題がない急速な応答速度で、所望の振幅レベルの複合映像信号を出力させることが可能である。
【０１１９】
また、ＡＧＣシステム全体の動作上、必須となる各種のゲート信号であるゲートパルスについても、ピークＡＧＣ動作とは独立に動作するキードＡＧＣ動作において、同期信号が所定の振幅レベルに揃った安定した振幅レベル状態に達した後で、キードＡＧＣ動作の出力である複合映像信号から同期信号を分離するので、同期信号の分離を確実に行なわせることが可能であり、該同期信号に基づいて各種のゲートパルスを生成させているので、ＡＧＣ回路に入力された複合映像信号の同期信号の振幅レベルがかなり小さくなっていた場合であっても、安定したＡＧＣ動作が可能である。
【図面の簡単な説明】
【図１】本発明に係るＡＧＣ回路の回路構成の一例を示した回路ブロック図である。
【図２】図１に示すピークＡＧＣ用ＶＣＡ制御値生成回路１９を構成する回路ブロックの一例を示すブロック構成図である。
【図３】図２に示す切替回路ＳＷＩＴＣＨ１９ｆから出力される選択エラー値と、図１に示すピークＡＧＣ用ＶＣＡ制御値生成回路１９に入力された複合映像信号のピーク振幅レベルと前記ピークＡＧＣ基準値とのずれ量との関係を模式的に示すグラフである。
【図４】ピークＡＧＣ用ＶＣＡに入力されてくる複合映像信号のレベルの急峻な振幅増加が発生した場合におけるピークＡＧＣ動作結果として、ピークＡＧＣ用ＶＣＡから出力されてくるピークＡＧＣ信号の一連の変化を示す模式図である。
【図５】ピークＡＧＣ用ＶＣＡのＡＧＣゲインが低下している状態で、ピークＡＧＣ基準値のレベルと等しい標準レベルの複合映像信号がピークＡＧＣ用ＶＣＡに入力されてくる場合におけるピークＡＧＣ動作結果として、ピークＡＧＣ用ＶＣＡから出力されてくるピークＡＧＣ複合映像信号の一連の変化を示す模式図である。
【図６】図１に示す本発明に係るＡＧＣ回路が備えられている録画装置の一例として、ＶＴＲ装置を例にとって、記録系の回路ブロック構成を示したブロック構成図である。
【図７】従来の代表的なＡＧＣ回路の構成例を示す回路ブロック図である。
【図８】図７に示す混合器７４から出力される合成信号波形の一例を示すものである。
【図９】従来のＡＧＣ回路構成に関する別の例を示す回路ブロック図である。
【図１０】従来のＡＧＣ回路構成に関する更なる別の例を示す回路ブロック図である。
【符号の説明】
１…ＡＧＣ回路、１ａ…キードＡＧＣ動作部、１ｂ…ピークＡＧＣ動作部、１１…キードＡＧＣ用ＶＣＡ、１２…低域フィルタＬＰＦ、１３…同期分離回路、１４…キードＡＧＣ基準値設定器、１５…キードＡＧＣ用ＶＣＡ制御値生成回路、１６…同期クランプ回路、１７…ピークＡＧＣ用ＶＣＡ、１８…低域フィルタＬＰＦ、１９…ピークＡＧＣ用ＶＣＡ制御値生成回路、１９ａ…入力値判定器、１９ｂ…エラー値生成器１、１９ｃ…最大値判定器、１９ｄ…エラー値生成器２、１９ｅ…過渡応答モード判定器、１９ｆ…切替回路ＳＷＩＴＣＨ、１９ｇ…積分器、１９ｈ…ループゲイン調整回路、１９ｉ…減算器、１９ｊ…ピークＡＧＣ初期動作ゲイン設定器、２０…ピークＡＧＣ基準値設定器、６０…録画装置、６１…ＬＰＦ、６２…ＡＧＣ回路、６３…ＦＭ変調器、６４…ＢＰＦ、６５…ＡＣＣ回路、６６…コンバータ、６７…混合器、６８…録画増幅器、６９…記録ヘッド、７１…同期クランプ回路、７２…同期分離回路、７３…同期遅延器、７４…混合器、７５…基準値設定器、７６…ピークレベル比較器、７７…ＶＣＡ制御値生成器、７８…ＡＧＣ用ＶＣＡ、９１…チューナ、９２…ＢＰＦ、９３…アンプ、９４…表面波フィルタＳＷＦ、９５…ＶＩＦ、９６…ＢＰＦ、９７…ＶＩＦ、９８…同期分離回路ＳＹＮＣＳＥＰ、９９…波形整形回路、１０１…ゲインコントロールアンプ、１０２…プリフィルタ、１０３…クランプ回路、１０４…Ａ／Ｄコンバータ、１０５…ＬＰＦ、１０６…ピークＡＧＣレベル検出回路、１０７…シンクＡＧＣレベル検出回路、１０８…信号選択回路、１０９…対数変換回路、１１０…レベル設定器、１１１…減算器、１１２…係数器、１１３…加算器、１１４…リミッタ、１１５…遅延回路、１１６…ゲインデコーダ、１１７…乗算器。
【図１】
0003727255.tif 000002
【図２】
0003727255.tif 000003
【図３】
0003727255.tif 000004
【図４】
0003727255.tif 000005
【図５】
0003727255.tif 000006
【図６】
0003727255.tif 000007
【図７】
0003727255.tif 000008
【図８】
0003727255.tif 000009
【図９】
0003727255.tif 000010
【図１０】
0003727255.tif 000011